(57)【要約】【課題】  光ディスクの信号記録層に記録されている信号の再生動作等を行う薄型の光ピックアップ装置を提供する。【解決手段】  レーザーダイオード１２から放射されたレーザー光が発散光として入射されるとともに該レーザー光を平行光に変換するコリメートレンズ１７と、該コリメートレンズ１７にて平行光に変換されたレーザー光が照射されるとともに該レーザー光を対物レンズ２１方向へ反射させる反射ミラー２０を備え、前記反射ミラー２０のレーザー反射面をコリメートレンズ１７から遠ざかるにつれて後退する段差よりなる複数の反射面にて構成する。【選択図】  図１
2009059447.tif 000002
【特許請求の範囲】
【請求項１】
レーザーダイオードから放射されたレーザー光が発散光として入射されるとともに該レーザー光を平行光に変換するコリメートレンズと、該コリメートレンズにて平行光に変換されたレーザー光が照射されるとともに該レーザー光を対物レンズ方向へ反射させる反射ミラーを備えた光ピックアップ装置であり、前記反射ミラーのレーザー反射面をコリメートレンズから遠ざかるにつれて後退する段差よりなる複数の反射面にて構成したことを特徴とする光ピックアップ装置。
【請求項２】
レーザー反射面を３つの反射面にて構成したとき、中央の反射面の面積をその他の反射面の面積より大にしたことを特徴とする請求項１に記載の光ピックアップ装置。
【請求項３】
コリメートレンズと反射ミラーとの間の光路内に段差に起因する位相ずれを補正する位相補正素子を配置したことを特徴とする請求項１に記載の光ピックアップ装置。
【請求項４】
位相補正素子として液晶制御素子を使用したことを特徴とする請求項３に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
図３は光ディスク装置に使用されている一般的な光ピックアップ装置を示す概略図である。同図において、１は例えば波長が６５０ｎｍの赤色光であるレーザー光を放射するレーザーダイオード、２は前記レーザーダイオード１から放射されるレーザー光が入射される回折格子であり、レーザー光を０次光、＋１次光及び−１次光に分離する回折格子部２ａと入射されるレーザー光をＳ方向の直線偏光光に変換する１／２波長板２ｂとより構成されている。
【０００４】
３は前記回折格子２を透過したレーザー光が入射される偏光ビームスプリッタであり、Ｓ偏光されたレーザー光を反射し、Ｐ方向に偏光されたレーザー光を透過させる制御膜３ａが設けられている。４は前記レーザーダイオード１から放射されたレーザー光の中の前記偏光ビームスプリッタ３に設けられている制御膜３ａを透過したレーザー光が照射される位置に設けられているモニター用光検出器であり、その検出出力は前記レーザーダイオード１から放射されるレーザー光の出力を制御するために使用される。
【０００５】
５は前記偏光ビームスプリッタ３の制御膜３ａにて反射されたレーザー光が入射される位置に設けられている１／４波長板であり、入射されるレーザー光を直線偏光光から円偏光光に変換する作用を成すものである。６は前記１／４波長板５を透過した発散光であるレーザー光が入射されるコリメートレンズであり、入射されたレーザー光を平行光にする作用を成すとともに光ディスクＤの保護層による球面収差を補正するために設けられている。
【０００６】
７は前記コリメートレンズ６にて平行光に変換されたレーザー光が入射されるとともに該レーザー光を光ディスクＤの信号面方向へ反射させる反射ミラーであり、後述するように光ディスクＤの信号記録層から反射された戻り光が入射されるとともに該戻り光を前記偏光ビームスプリッタ３の方向へ反射させる作用を成すように設けられている。
【０００７】
８は前記偏光ビームスプリッタ３に設けられている制御膜３ａを透過した戻り光が入射されるセンサーレンズであり、シリンドリカル面、平面、凹曲面または凸曲面等が入射面側及び出射面側に形成されている。斯かるセンサーレンズ８は戻り光に非点収差を発生させることによってフォーカス制御動作に使用されるフォーカスエラー信号を生成させるために設けられている。
【０００８】
９は前記センサーレンズ８を通過した戻り光が集光されて照射される位置に設けられている光検出器であり、フォトダイオードが配列された４分割センサー等にて構成されている。斯かる光検出器９の構成及び非点収差法によるフォーカスエラー信号の生成動作等は周知であり、その説明は省略する。
【０００９】
１０は前記反射ミラー７にて反射されたレーザー光が入射されるとともに入射されたレ
ーザー光を光ディスクＤに設けられている信号記録層に集光させる対物レンズであり、該対物レンズ１０は、例えば４本の支持ワイヤーによって光ディスクＤの信号面に対して垂直方向、即ちフォーカス方向への変位動作及び光ディスクの径方向、即ちトラッキング方向への変位動作を可能に設けられているレンズホルダーに固定されている。斯かるレンズホルダーの支持機構等の構成は周知であり、その説明は省略する。
【００１０】
斯かる構成の光ピックアップ装置を使用して光ディスクＤに記録されている信号の再生動作を行う場合には、レーザーダイオード１に駆動電流が供給され、該レーザーダイオード１から波長が６５０ｎｍのレーザー光が放射される。前記レーザーダイオード１から放射されたレーザー光は、回折格子２に入射され、該回折格子２を構成する回折格子部２ａによって０次光、＋１次光及び−１次光に分離されるとともに１／２波長板２ｂによってＳ方向の直線偏光光に変換される。前記回折格子２を透過したレーザー光は、偏光ビームスプリッタ３に入射され、該偏光ビームスプリッタ３に設けられている制御膜３ａにて反射されるとともに一部のレーザー光は該制御膜３ａを透過してモニター用光検出器４に照射される。
【００１１】
前記制御膜３ａにて反射されたレーザー光は、１／４波長板５を通してコリメートレンズ６に入射され該コリメートレンズ６の働きによって平行光に変換される。前記コリメートレンズ６によって平行光に変換されたレーザー光は、反射ミラー７にて反射された後対物レンズ１０に入射される。前記対物レンズ１０に入射されたレーザー光は該対物レンズ１０の集光動作によって光ディスクＤの信号記録層にスポットとして照射されることになる。このようにして、レーザーダイオード１から放射されるレーザー光は、光ディスクＤの信号記録層に所望のスポットとして照射されるが、この場合における対物レンズ１０の開口数は０．６になるように設定されている。
【００１２】
また、前述した対物レンズ１０によるレーザー光の集光動作が行われるとき、信号記録層と光ディスクＤの信号入射面との間にある保護層の厚みの相違によって球面収差が発生するが、本実施例に示したコリメートレンズ６を光路方向へ変位させることによってこの球面収差が最も少なくなるように調整することが出来る。斯かる調整動作は一般的に行われており、その説明は省略する。
【００１３】
前述した動作によってレーザー光の光ディスクＤに設けられている信号記録層への照射動作が行われるが、斯かる照射動作が行われるとき、該信号記録層から反射される戻り光が対物レンズ１０に対して光ディスクＤ側から入射される。前記対物レンズ１０に入射された戻り光は、反射ミラー７、コリメートレンズ６及び１／４波長板５を通して偏光ビームスプリッタ３に入射される。前記偏光ビームスプリッタ３に入射される戻り光は、前記１／４波長板５によってＰ方向の直線偏光光に変換されているので、該偏光ビームスプリッタ３に設けられている制御膜３ａを透過することになる。
【００１４】
前記制御膜３ａを透過したレーザー光の戻り光は、センサーレンズ８に入射され、該センサーレンズ８の働きによって非点収差が発生せしめられる。前記センサーレンズ８によって非点収差が発生せしめられた戻り光は、該センサーレンズ８の集光動作によって光検出器９に設けられている４分割センサー等のセンサー部に照射される。このようにして戻り光が光検出器９に照射される結果、該光検出器９に組み込まれているセンサー部に照射されるスポット形状の変化を利用して周知のようにフォーカスエラー信号の生成動作が行われる。斯かるフォーカスエラー信号を利用して対物レンズ１０を光ディスクＤの信号面方向へ変位させることによってフォーカス制御動作を行うことが出来る。
【００１５】
また、本実施例では説明しないが、回折格子２によって生成される＋1次光と−1次光を利用した周知のトラッキング制御動作を行うことが出来るように構成されており、斯かる
トラッキング制御動作によって対物レンズ１０をトラッキング方向へ変位させることによって光ディスクＤに記録されている信号の読み取り動作を行うことが出来る。
【００１６】
前述したように光ディスクＤに記録されている信号の読み取り動作は行われるが、斯かる読み取り動作が行われているとき、モニター用光検出器４にレーザー光の一部が照射されているので、該モニター用光検出器４から得られるモニター信号のレベル変化を利用してレーザーダイオード１に供給される駆動電流値を制御することが出来る。
【００１７】
レーザーダイオード１に供給される駆動電流値を制御することによってレーザー光の出力を制御することが出来るので、光ディスクＤに記録されている信号の再生動作だけでなく該光ディスクＤに信号を記録する場合に要求されるレーザー出力の調整動作も行うことが出来る。
【００１８】
一般的な光ピックアップ装置は、図３に示したように構成されており、同図より明らかなようにコリメートレンズ６にて平行光に変換されたレーザー光は、反射ミラー７によって対物レンズ１０の方向に反射され、その反射方向は入射される平行光に対して直角になるように構成されている。
【００１９】
そして、対物レンズ１０の光軸は、光ディスクＤの信号面に対して垂直になるように配置されるとともにコリメートレンズ６にて平行光に変換されたレーザー光は、前記対物レンズ１０の光軸に対して直角になるように構成されている。その結果、反射ミラー７の基台１１に対する取り付け角度は、図示したように４５度になるように構成されている。
【００２０】
尚、図３において、偏向ビームスプリッタ３及びコリメートレンズ６等の光学素子の寸法や配置は、説明のために実際とは異なるように描いている。即ち、実際の光ピックアップ装置では、全ての光学素子は、基台１１と光ディスクＤとの間の空間部に配置されるように構成されている。
【００２１】
光ピックアップ装置の厚さ、即ち基台１１とディスクＤとの間の距離は、反射ミラー７の高さ、該反射ミラー７と対物レンズ１０との間の距離、対物レンズ１０の厚さ及び対物レンズ１０と光ディスクＤとの間の距離によって決定される。
【００２２】
同一の対物レンズを使用する光ピックアップ装置では、光ピックアップ装置の厚さを決定する要素の中の反射ミラー７と対物レンズ１０との間の距離及び対物レンズ１０と光ディスクＤとの間の距離を短くすることは出来ないので、反射ミラー７の高さを低くすることが要求されている。
【００２３】
前記反射ミラー７の基台１１に対する取り付け角度を４５度にした場合、反射ミラー７の高さは、レーザー光のビーム径より大きくする必要があるので、該反射ミラー７の高さを低くすることが出来なかった。
【００２４】
斯かる問題を解決し、光ピックアップ装置の薄型化を行う方法としてプリズムを使用した技術が提案されている。（特許文献１参照。）
【特許文献１】特開２０００−１１３４９２号公報
【発明の開示】
【発明が解決しようとする課題】
【００２５】
前述した特許文献には、コリメートレンズにて平行光に変換されたレーザー光を対物レンズ方向へ導くべく光路を変更する手段としてプリズムをした光ピックアップ装置が記載されている。
【００２６】
斯かる技術によれば光ピックアップ装置を薄型にすることは出来るもののプリズムを使用しているので、該プリズムの設計及び製造が難しいだけでなく高価になるという問題がある。
【００２７】
本発明は、斯かる問題を解決することが出来る光ピックアップ装置を提供しようとするものである。
【課題を解決するための手段】
【００２８】
本発明は、レーザーダイオードから放射されたレーザー光が発散光として入射されるとともに該レーザー光を平行光に変換するコリメートレンズと、該コリメートレンズにて平行光に変換されたレーザー光が照射されるとともに該レーザー光を対物レンズ方向へ反射させる反射ミラーを備え、前記反射ミラーのレーザー反射面をコリメートレンズから遠ざかるにつれて後退する段差よりなる複数の反射面にて構成したことを特徴とするものである。
【００２９】
また、本発明は、レーザー反射面を３つの反射面にて構成したとき、中央の反射面の面積をその他の反射面の面積より大にしたことを特徴とするものである。
【００３０】
そして、本発明は、コリメートレンズと反射ミラーとの間の光路内に段差に起因する位相ずれを補正する位相補正素子を配置したことを特徴とするものである。
【発明の効果】
【００３１】
本発明の光ピックアップ装置は、コリメートレンズにて平行光に変換されたレーザー光を対物レンズ方向へ反射させる反射ミラーに設けられているレーザー反射面をコリメートレンズから遠ざかるにつれて後退する段差よりなる複数の反射面にて構成したので、反射ミラーの高さを低くすることが出来る。それ故、本発明は、光ピックアップ装置の薄型化に対して非常に大きな効果を奏するものである。
【００３２】
また、本発明は、レーザー反射面を３つの反射面にて構成したとき、中央の反射面の面積をその他の反射面の面積より大にしたので、即ちレーザー光の中心部の光量を主に利用するようにしたので、対物レンズの集光動作によって良好なレーザースポットを光ディスク上に生成させることが出来る。
【実施例】
【００３３】
図１は本発明の光ピックアップ装置の一実施例を示す概略図、図２は本発明に係る反射ミラーを説明するための拡大図である。
【００３４】
図１において、１２は例えば波長が６５０ｎｍの赤色光であるレーザー光を放射するレーザーダイオード、１３は前記レーザーダイオード１２から放射されるレーザー光が入射される回折格子であり、レーザー光を０次光、＋１次光及び−１次光に分離する回折格子部１３ａと入射されるレーザー光をＳ方向の直線偏光光に変換する１／２波長板１３ｂとより構成されている。
【００３５】
１４は前記回折格子１３を透過したレーザー光が入射される偏光ビームスプリッタであり、Ｓ偏光されたレーザー光を反射し、Ｐ方向に偏光されたレーザー光を透過させる制御膜１４ａが設けられている。１５は前記レーザーダイオード１２から放射されたレーザー光の中の前記偏光ビームスプリッタ１４に設けられている制御膜１４ａを透過したレーザー光が照射される位置に設けられているモニター用光検出器であり、その検出出力は前記レーザーダイオード１２から放射されるレーザー光の出力を制御するために使用される。
【００３６】
１６は前記偏光ビームスプリッタ１４の制御膜１４ａにて反射されたレーザー光が入射される位置に設けられている１／４波長板であり、入射されるレーザー光を直線偏光光から円偏光光に変換する作用を成すものである。１７は前記１／４波長板１６を透過した発散光であるレーザー光が入射されるコリメートレンズであり、入射されたレーザー光を平行光に変換する作用を成すとともに光ディスクＤの保護層による球面収差を補正するために設けられている。
【００３７】
１８は前記コリメートレンズ１７にて平行光に変換されたレーザー光が入射される位置に配置されている位相補正素子であり、例えば液晶制御素子にて構成されている。斯かる液晶制御素子は、収差を補正する手段として一般に使用されており、その説明については省略する。
【００３８】
１９は前記位相補正素子１８にて位相を補正されたレーザー光が照射される位置に設けられている回折格子であり、図示したように入射されるレーザー光の方向を変更するように構成されている。
【００３９】
２０は前記回折格子１９にて進行方向が変更されたレーザー光が入射されるとともに該レーザー光を対物レンズ２１の方向へ反射させる反射ミラーであり、レーザー反射面はコリメートレンズ１７から遠ざかるにつれて後退する段差よりなる複数の反射面Ａ、Ｂ及びＣにて構成されている。
【００４０】
また、前記反射ミラー２０は、光ディスクＤの信号記録層から反射された戻り光が前記対物レンズ２１を通して入射されるとともに該戻り光を前記偏光ビームスプリッタ１４の方向へ反射させる作用を成すようにされている。
【００４１】
２２は前記偏光ビームスプリッタ１４に設けられている制御膜１４ａを透過した戻り光が入射されるセンサーレンズであり、シリンドリカル面、平面、凹曲面または凸曲面等が入射面側及び出射面側に形成されている。斯かるセンサーレンズ２２は戻り光に非点収差を発生させることによってフォーカス制御動作に使用されるフォーカスエラー信号を生成させるために設けられている。
【００４２】
２３は前記センサーレンズ２２を通過した戻り光が集光されて照射される位置に設けられている光検出器であり、フォトダイオードが配列された４分割センサー等にて構成されている。斯かる光検出器２１の構成及び非点収差法によるフォーカスエラー信号の生成動作等は周知であり、その説明は省略する。
【００４３】
前記対物レンズ２１は、周知のように例えば４本の支持ワイヤーによって光ディスクＤの信号面に対して垂直方向、即ちフォーカス方向への変位動作及び光ディスクの径方向、即ちトラッキング方向への変位動作を可能に設けられているレンズホルダーに固定されている。また、レンズホルダーに固定されている対物レンズ２１の光軸は、光ディスクＤの信号面に対して垂直方向になるように構成されている。
【００４４】
斯かる構成の光ピックアップ装置を使用して光ディスクＤに記録されている信号の再生動作を行う場合には、レーザーダイオード１２に駆動電流が供給され、該レーザーダイオード１２から波長が６５０ｎｍのレーザー光が放射される。前記レーザーダイオード１２から放射されたレーザー光は、回折格子１３に入射され、該回折格子１３を構成する回折格子部１３ａによって０次光、＋１次光及び−１次光に分離されるとともに１／２波長板１３ｂによってＳ方向の直線偏光光に変換される。前記回折格子１３を透過したレーザー光は、偏光ビームスプリッタ１４に入射され、該偏光ビームスプリッタ１４に設けられて
いる制御膜１４ａにて反射されるとともに一部のレーザー光は該制御膜１４ａを透過してモニター用光検出器１５に照射される。
【００４５】
前記制御膜１４ａにて反射されたレーザー光は、１／４波長板１６を通してコリメートレンズ１７に入射され該コリメートレンズ１７の働きによって平行光に変換される。前記コリメートレンズ１７によって平行光に変換されたレーザー光は、位相補正素子１８によって位相を補正された後回折格子１９に入射される。
【００４６】
前記回折格子１９に入射されたレーザー光は、その進行方向を変更されて前記反射ミラー２０のレーザー反射面に照射され、該レーザー反射面にて対物レンズ２１方向へ反射されることになる。従って、前記反射ミラー２０のレーザー反射面にて反射されたレーザー光は、対物レンズ２１に入射されることになる。このようにして前記対物レンズ２１に入射されたレーザー光は該対物レンズ２１の集光動作によって光ディスクＤの信号記録層にスポットとして照射されることになる。このようにして、レーザーダイオード１２から放射されるレーザー光は、光ディスクＤの信号記録層に所望のスポットとして照射されるが、この場合における対物レンズ２１の開口数は０．６になるように設定されている。
【００４７】
前述した動作によってレーザー光の光ディスクＤに設けられている信号記録層への照射動作が行われるが、斯かる照射動作が行われるとき、該信号記録層から反射される戻り光が対物レンズ２１に対して光ディスクＤ側から入射される。前記対物レンズ２１に入射された戻り光は、反射ミラー２０、回折格子１９、位相補正素子１８、コリメートレンズ１７及び１／４波長板１６を通して偏光ビームスプリッタ１４に入射される。前記偏光ビームスプリッタ１４に入射される戻り光は、前記１／４波長板１６によってＰ方向の直線偏光光に変換されているので、該偏光ビームスプリッタ１４に設けられている制御膜１４ａを透過することになる。
【００４８】
前記制御膜１４ａを透過したレーザー光の戻り光は、センサーレンズ２２に入射され、該センサーレンズ２２の働きによって非点収差が発生せしめられる。前記センサーレンズ２２によって非点収差が発生せしめられた戻り光は、該センサーレンズ２２の集光動作によって光検出器２３に設けられている４分割センサー等のセンサー部に照射される。このようにして戻り光が光検出器２３に照射される結果、該光検出器２３に組み込まれているセンサー部に照射されるスポット形状の変化を利用して周知のようにフォーカスエラー信号の生成動作が行われる。それ故、斯かるフォーカスエラー信号を利用して対物レンズ２１を光ディスクＤの信号面方向へ変位させることによってフォーカス制御動作を行うことが出来る。
【００４９】
また、本実施例では説明しないが、回折格子１３によって生成される＋1次光と−1次光を利用した周知のトラッキング制御動作を行うことが出来るように構成されており、斯かるトラッキング制御動作によって対物レンズ２１をトラッキング方向へ変位させることによって光ディスクＤに記録されている信号の読み取り動作を行うことが出来る。
【００５０】
前述したように光ディスクＤに記録されている信号の読み取り動作は行われるが、斯かる読み取り動作が行われているとき、モニター用光検出器１５にレーザー光の一部が照射されているので、該モニター用光検出器１５から得られるモニター信号のレベル変化を利用してレーザーダイオード１２に供給される駆動電流値を制御することが出来る。
【００５１】
レーザーダイオード１２に供給される駆動電流値を制御することによってレーザー光の出力を制御することが出来るので、光ディスクＤに記録されている信号の再生動作だけでなく該光ディスクＤに信号を記録する場合に要求されるレーザー出力の調整動作も行うことが出来る。
【００５２】
図１に示したように本発明に係る光ピックアップ装置は、構成されているが、同図において、偏向ビームスプリッタ１４及びコリメートレンズ１７等の光学素子の寸法や配置は、説明のために実際とは異なるように描いている。即ち、実際の光ピックアップ装置では、全ての光学素子は、基台２４と光ディスクＤとの間の空間部に配置されるように構成されている。
【００５３】
次に本発明に係る反射ミラー２０の構成について図２に示した拡大図を参照して説明する。前述したように本発明に係る反射ミラー２０のレーザー反射面は、コリメートレンズ１７から遠ざかるにつれて後退する段差よりなる複数の反射面Ａ、Ｂ及びＣにて構成されている。従来の反射ミラーにおけるレーザー反射面は、図２の破線で示す位置にあるため、実線で示す本発明の反射ミラー２０と比較して対物レンズ２１方向の高さが高くなる。
【００５４】
以上に説明したように本発明に係る反射ミラー２０は、従来の反射ミラーと比較して対物レンズ２１方向の高さを低くすることが出来るので、本発明は、光ピックアップ装置の薄型化に対して大きな効果を奏することになる。
【００５５】
本発明に係る反射ミラー２０のレーザー反射面は、コリメートレンズ１７から遠ざかるにつれて後退する段差よりなる複数の反射面Ａ、Ｂ及びＣにて構成されているので、反射面間のレーザー光の走行長が相違することになる。その結果、各反射面にて反射されるレーザー光間に位相差が発生することになり、対物レンズ２１の集光動作によって生成されるレーザースポットに大きな収差が発生することになる。
【００５６】
本発明では、各反射面にて反射されるレーザー間に発生する位相差をコリメートレンズ１７と反射ミラー２０との間に設けられている位相補正素子１８にて補正するように構成されている。従って、対物レンズ２１の集光動作によって生成されるレーザースポットに大きな収差が発生することはない。
【００５７】
また、反射ミラー２０のレーザー反射面を反射面Ａ、Ｂ及びＣの３つ反射面にて構成する場合には、図示したように中央の反射面、即ち反射面Ｂの面積がその他の反射面の面積よりも大になるように構成されている。斯かる構成によれば、レーザー光の中心部の光量を主に利用してレーザースポットが生成されるので、対物レンズ２１の集光動作によって良好なレーザースポットを光ディスクＤの信号記録層に生成させることが出来る。
【００５８】
尚、本実施例では、反射ミラー２０に設けられているレーザー反射面を３つの部分に分割したが、２つ以上に分割されておれば良く、その数は限定されるものではない。また、本実施例では、レーザーダイオード１２として、波長が６５０ｎｍのレーザー光を放射させるレーザーダイオードを使用したが、他の波長のレーザー光を放射させるレーザーダイオードを使用する光ピックアップ装置に実施することは勿論可能である。更に、本実施例では、回折格子１９によってレーザー光の進行方向を変更させるようにしたが、三角プリズム等を使用することも出来る。
【図面の簡単な説明】
【００５９】
【図１】本発明の光ピックアップ装置の一実施例を示す概略図である。
【図２】本発明の光ピックアップ装置を構成する反射ミラーを示す拡大図である。
【図３】従来の光ピックアップ装置を示す概略図である。
【符号の説明】
【００６０】
１２      レーザーダイオード
１４      偏光ビームスプリッタ
１７      コリメートレンズ
１８      位相補正素子
１９      回折格子
２０      反射ミラー
２１      対物レンズ
Ｄ        光ディスク
【図１】
2009059447.tif 000003
【図２】
2009059447.tif 000004
【図３】
2009059447.tif 000005